(57)【要約】【課題】面積の小さな磁界の放射面を近接通信に用いた場合でも十分な通信性能を得ることが可能なアンテナ装置および当該アンテナ装置を用いた電子機器を提供すること。【解決手段】磁性を有するコア２と、アンテナコイル部３と、開口部８に対向する第１の放射面９と、第１の放射面９よりも大きな面積を有する第２の放射面１０、第２の放射面１０に対向する第３の放射面１１と、第１の放射面９と対向する第４の放射面１２を有するアンテナ部と、第２の放射面１０、第３の放射面１１、および第４の放射面１２を完全に覆う導電体からなる反射部を有するアンテナ装置。【選択図】図３
2015115916.tif 000002
【特許請求の範囲】
【請求項１】
開口部が設けられた導電体に近接して配置されるアンテナ装置であって、
磁性を有するコアと、
前記コアに導体を巻回して形成されるアンテナコイル部と、
前記開口部に対向する第１の放射面と、前記第１の放射面よりも大きな面積を有する第２の放射面と、前記第２の放射面に対向する第３の放射面と、前記第１の放射面と対向する第４の放射面を有するアンテナ部と、
前記第２の放射面、前記第３の放射面、および前記第４の放射面を完全に覆う導電体からなる反射部を有するアンテナ装置。
【請求項２】
請求項１に記載のアンテナ装置であって、
前記アンテナ部は、前記第１の放射面および前記第２の放射面に隣接する第５の放射面と、前記第５の放射面に対向する第６の放射面を有し、
前記反射部は、前記第５の放射面および前記第６の放射面を完全に覆うことを特徴とするアンテナ装置。
【請求項３】
請求項１に記載のアンテナ装置であって、
前記反射部は、前記第２の放射面を覆う第１の反射体、前記第３の放射面を覆う第２の反射体、および前記第４の放射面を覆う第３の反射体を有するアンテナ装置。
【請求項４】
請求項２に記載のアンテナ装置であって、
前記反射部は、前記第２の放射面を覆う第１の反射体、前記第３の放射面を覆う第２の反射体、前記第４の放射面を覆う第３の反射体、前記第５の放射面を覆う第４の反射体、および前記第６の放射面を覆う第５の反射体を有するアンテナ装置。
【請求項５】
請求項１〜４いずれか一項に記載のアンテナ装置であって、
前記反射部は、前記アンテナコイル部以外の、第１の放射面を除く、各放射面を覆うアンテナ装置。
【請求項６】
請求項１〜５いずれか一項に記載のアンテナ装置を搭載した電子機器。
【請求項７】
請求項６に記載の電子機器であって、前記開口部が設けられた導電体は当該電子機器の筐体である電子機器。
【発明の詳細な説明】
【技術分野】
【０００１】
本発明は、ＲＦ−ＩＤやＮＦＣなどのＩＣカードやＩＣタグなどの無線通信媒体との通信を行うアンテナおよび当該アンテナを用いた電子機器に関するものである。
【背景技術】
【０００２】
アンテナの放射指向性を高めるための技術を記載した文献として特許文献１が存在する。特許文献１は、自動車のドア内部に配置されるアンテナを開示しており、当該アンテナは、自動車の施錠又は開錠を無線で行うキーレスエントリーに用いられる。当該アンテナには車外への放射指向性を高めるために反射板が設けられている。ドライバーは、ドアの施錠・開錠を制御する携帯機の操作によって、当該アンテナと携帯機との間でドアの施錠／開錠の制御のために必要なＩＤの交換と認証を実行させることができる。施錠／開錠の認証に成功すると、自動車のドアが施錠／開錠される。
【０００３】
特許文献１に記載のアンテナは、直方体の磁性体にコイルを巻きつけた形状を有している。当該コイルは４つの放射面を有しており、そのうちの２面は、ＸＹ平面に平行で面積の大きな面（便宜上、この面を主面と呼称する）であり、残りの２面は、ＸＺ平面に平行な面積の小さな面（便宜上、この面を側面と称する）である。放射面としては、一方の主面が用いられている。
【０００４】
特許文献１に記載のアンテナと同様の形状を有するコイルアンテナについては、ノートパソコン、タブレット端末、およびスマートフォンなどの携帯端末の近接通信用のアンテナとして用いることが検討されている。
【先行技術文献】
【特許文献】
【０００５】
【特許文献１】特開２００１−０１０２６４号公報
【発明の概要】
【発明が解決しようとする課題】
【０００６】
スマートフォンなどの携帯端末においては、美観のために金属製の筐体が用いられることがある。金属製の筐体が用いられた端末にコイルアンテナを搭載して近接通信を実現するためには、金属製の筐体に開口部（スリット、穴など）を設け、コイルアンテナから発生する磁束が通過できるようにする必要がある。金属製の筐体に設けられる開口部の大きさは、美観や筐体の強度を損ねないようにするために、可能な限り小さいことが望ましい。
【０００７】
しかしながら、特許文献１のアンテナは、面積の大きな主面を放射面としているため、これを近接通信用のアンテナとして用いようとすると、金属製の筐体には当該放射面のサイズに対応した大きな開口部を設ける必要がある。このため、筐体の美観や強度を損ねてしまうおそれがある。
【０００８】
上記課題を解決するため、本願発明は、面積の小さな磁界の放射面を近接通信に用いた場合でも十分な通信性能を得ることが可能なアンテナ装置および当該アンテナ装置を用いた電子機器を提供することを目的とする。
【課題を解決するための手段】
【０００９】
上記課題を解決するために、本発明は、開口部が設けられた導電体に近接して配置されるアンテナ装置であって、磁性を有するコアと、前記コアに導体を巻回して形成されるアンテナコイル部と、前記開口部に対向する第１の放射面と、前記第１の放射面よりも大きな面積を有する第２の放射面と、前記第２の放射面に対向する第３の放射面と、前記第１の放射面と対向する第４の放射面を有するアンテナ部と、
前記第２の放射面、前記第３の放射面、および前記第４の放射面を完全に覆う導電体からなる反射部を有するアンテナ装置とした。
【発明の効果】
【００１０】
本発明によれば、アンテナ部のうち、第１の放射面よりも面積の大きな第２の放射面、前記第２の放射面と対向する第３の放射面、および前記第１の放射面と対向する第４の放射面が反射部によって完全に覆われるので、前記第２〜４の放射面からの磁束の漏れを抑制することができ、前記第１の放射面が前記開口部から放射する磁束を大きくすることが可能である。この構成よれば、近接通信の放射面として用いる前記第１の放射面の面積が小さい場合でも、近接通信に必要な磁束を通信方向へ発生させることができるので、前記導体に設けられる前記開口部の面積を小さくすることができ、当該アンテナ装置が搭載される電子機器の美観や強度の維持を図ることができる。
【図面の簡単な説明】
【００１１】
【図１】アンテナ装置を示す斜視図
【図２】アンテナ装置と筐体の配置関係を示す斜視図
【図３】アンテナ装置と筐体の配置関係を示す断面図
【図４】アンテナ装置から放射される磁界強度のシミュレーションに用いられる系を示す図
【図５】アンテナ装置から放射される磁界強度のシミュレーションに用いられる系を示す図
【図６】磁界強度のシミュレーションに用いられるアンテナ装置のモデルを示す図
【図７】「アンテナ単体」のシミュレーションにおける、アンテナ装置から放射されるＺ方向の磁界の強度分布を示す図
【図８】磁界強度のシミュレーションに用いられるアンテナ装置のモデルを示す図
【図９】「前面金属」のシミュレーションにおける、アンテナ装置から放射されるＺ方向の磁界の強度分布を示す図
【図１０】磁界強度のシミュレーションに用いられるアンテナ装置のモデルを示す図
【図１１】「前面金属  ３面覆う」のシミュレーションにおける、アンテナ装置から放射されるＺ方向の磁界の強度分布を示す図
【図１２】磁界強度のシミュレーションに用いられるアンテナ装置のモデルを示す図
【図１３】「前面金属  ５面覆う」のシミュレーションにおける、アンテナ装置から放射されるＺ方向の磁界の強度分布を示す図
【図１４】磁界強度のシミュレーションに用いられるアンテナ装置のモデルを示す図
【図１５】「前面金属  ２面覆う」のシミュレーションにおける、アンテナ装置から放射されるＺ方向の磁界の強度分布を示す図
【図１６】磁界強度のシミュレーションに用いられるアンテナ装置のモデルを示す図
【図１７】「前面金属  １面覆う」のシミュレーションにおける、アンテナ装置から放射されるＺ方向の磁界の強度分布を示す図
【図１８】各シミュレーションについて磁界強度測定用コイルにおける磁界強度をまとめた表を示す図
【発明を実施するための形態】
【００１２】
第１の発明は、開口部が設けられた導電体に近接して配置されるアンテナ装置であって、磁性を有するコアと、前記コアに導体を巻回して形成されるアンテナコイル部と、前記開口部に対向する第１の放射面と、前記第１の放射面よりも大きな面積を有する第２の放射面と、前記第２の放射面に対向する第３の放射面と、前記第１の放射面と対向する第４の放射面を有するアンテナ部と、前記第２の放射面、前記第３の放射面、および前記第４の放射面を完全に覆う導電体からなる反射部を有するアンテナ装置である。
【００１３】
第１の発明によれば、アンテナ部のうち、第１の放射面よりも面積の大きな第２の放射面、前記第２の放射面と対向する第３の放射面、および前記第１の放射面と対向する第４の放射面が前記反射部によって完全に覆われるので、前記第２〜４の放射面からの磁束の漏れを抑制することができ、前記第１の放射面が前記開口部から放射する磁束を大きくすることが可能である。この構成よれば、近接通信の放射面として用いる前記第１の放射面の面積が小さい場合でも、近接通信に必要な磁束を通信方向へ発生させることができるので、前記導体に設けられる前記開口部の面積を小さくすることができ、当該アンテナ装置が搭載される電子機器の美観や強度の維持を図ることができる。
【００１４】
第２の発明は、前記アンテナ部が、さらに、前記第１の放射面および前記第２の放射面に隣接する第５の放射面と、前記第５の放射面に対向する第６の放射面を有し、前記反射部は、前記第５の放射面および前記第６の放射面を完全に覆うアンテナ装置である。
【００１５】
第２の発明によれば、第５の放射面および第６の放射面からの磁束の漏れを、さらに抑制することができるので、前記第１の放射面が放射する磁束をより大きくすることが可能である。この構成によれば、前記第１の放射面の面積がより小さい場合でも、近接通信に必要な磁束を通信方向へ発生させることができるので、前記開口部の面積をより小さくすることができ、当該アンテナ装置が搭載される電子機器の美観や強度の維持を図ることが可能である。
【００１６】
第３の発明は、前記反射部が、前記第２の放射面を覆う第１の反射体、前記第３の放射面を覆う第２の反射体、および前記第４の放射面を覆う第３の反射体を有するアンテナ装置である。
【００１７】
第３の発明によれば、各放射面を覆う反射体が独立しているので、当該アンテナ装置の製造が容易になる。
【００１８】
第４の発明は、前記反射部が、前記第２の放射面を覆う第１の反射体、前記第３の放射面を覆う第２の反射体、前記第４の放射面を覆う第３の反射体、前記第５の放射面を覆う第４の反射体、および前記第６の放射面を覆う第５の反射体を有するアンテナ装置である。
【００１９】
第４の発明によれば、各放射面を覆う反射体が独立しているので、当該アンテナ装置の製造が容易になる。
【００２０】
第５の発明は、前記反射部は、前記アンテナコイル部以外の、第１の放射面を除く、各放射面を覆うアンテナ装置である。
【００２１】
第５の発明によれば、前記反射部は前記アンテナコイル部を覆わないので、前記反射部と前記アンテナコイル部との間に浮遊容量が発生することを抑制することができる。したがって、近接通信の性能が向上する。
【００２２】
第６の発明は、第１〜５の発明のうちいずれか一つのアンテナ装置を搭載した電子機器である。
【００２３】
第６の発明によれば、電子機器の近接通信の性能を向上させることができる。
【００２４】
第７の発明は、前記開口部が設けられた導電体が電子機器の筐体であることを特徴とする。
【００２５】
第７の発明によれば、電子機器の筐体に設ける開口部の面積を小さくすることが可能になるので、近接通信の性能に優れると共に美観と強度に優れた電子機器を提供することが可能である。
【００２６】
（実施の形態）
以下、図面を用いて本発明の実施の形態について説明する。図１は、実施の形態のアンテナ装置を示す斜視図である。図２は、アンテナ装置と筐体の配置関係を示す斜視図である。図３は、アンテナ装置と筐体の配置関係を示す断面図である。
【００２７】
図１に示すように、アンテナ装置１は、磁性を有する直方体状のコア２と、コア２に導体を巻回して形成されたアンテナコイル３と、コア２の３面を完全に覆う第１の反射体４、第２の反射体５および第３の反射体６を有する。第１〜第３の反射体４〜６に覆われていないと共にＸＹ平面に平行なコア２の一面を第１の放射面９と称する。また、第１の反射体４によって覆われているコア２の一面を第２の放射面と称する。また、第２の反射体５によって覆われているコア２の一面を第３の放射面と称する。また、第３の反射体６に覆われているコア２の一面を第４の放射面と称する。また、第１〜第３の反射体４〜６に覆われていないと共にＸＺ平面に平行なコア２の二面を、それぞれ第５の放射面、第６の放射面と称する。コア２の材質としては、フェライトなどの絶縁性磁性体、電磁鋼板などの導電性磁性体のいずれでも良い。また、第１〜第３の反射体４〜６の材質としては、導電体であれば何でもよく、金、銀、銅、アルミニウム、ニッケル等の導電性の材料から適宜選択することができる。また、アンテナコイル３の導体の材料としては、第１〜第３の反射体４〜６と同様に導電体であれば何でもよく、金、銀、銅、アルミニウム、ニッケル等の導電性の金属線をコア２に巻回することによって形成される。アンテナコイル３については、金属線を巻回して形成する以外にも、めっき転写、スパッタ、蒸着、もしくはスクリーン印刷等の方法により形成することが可能である。また、アンテナコイル３は、絶縁材を介して第１〜第３の反射体４〜６によって覆われている。これは、アンテナコイル３の短絡を防ぐためである。
【００２８】
図２に示すように、アンテナ装置１の第１の放射面９は、筐体７に設けられた開口部８に対向して設けられる。筐体７は金属等の導電体から成り、アンテナ装置１が搭載される電子機器の筐体として使用される。アンテナ装置１で発生した磁束は、開口部８を通過して相手方の通信装置へと伝達される。これにより、アンテナ装置１を搭載した電子機器は、当該相手方の通信装置と近接通信を行うことが可能になる。アンテナ装置１を搭載した電子機器としては、ノートパソコン、タブレット端末、またはスマートフォンなどの携帯用通信装置が考えられる。
【００２９】
図３は、筐体７内部の状態を断面図として表している。先述したように、アンテナ装置１は、第１の放射面９が開口部８に対向するように設けられている。アンテナ装置１は、ネジ等の締結手段を介して筐体７の壁面に固定される。また、アンテナ装置１の固定方法としては、第１の反射体４および第２の反射体５を筐体７の壁面にろう接して固定するようにしても良い。アンテナ装置１を筐体７に固定する方法としては、締結、ろう接以外にも最適な手段を適宜用いても構わない。このように、第１〜第３の反射体４〜６によって、コア２の３面を覆うことにより、第２〜第４の放射面から放射される磁束を効率的に開口部８の向きへ放射することが可能になり、近接通信の性能を高めることができる。特に、近接通信の放射面として用いる第１の放射面９の面積が小さい場合でも、近接通信に必要な磁束を通信方向へ発生させることができるので、開口部８の面積を小さくすることができ、アンテナ装置１が搭載される電子機器の美観や強度の維持を図ることができる。
【００３０】
図４〜図１８は、アンテナ装置１から放射される磁界強度のシミュレーションに関する図面である。図４〜図１８は、比較のために
図４は、アンテナ装置１から放射される磁界強度のシミュレーションに用いられる系を示している。このモデルでは、アンテナ装置１は磁界強度測定用コイル１３の短辺の一方がアンテナ装置１のアンテナコイル３の中央に位置するように配置されている。また、アンテナ装置１は、磁界強度測定用コイル１３から５ｍｍだけ離されている。図４（Ａ）は、シミュレーション系の平面図である。また、図４（Ｂ）はシミュレーション系の斜視図である。図４のシミュレーションでは、アンテナ装置１単体の通信性能を確認することができる。
【００３１】
図５は、図４と同様に、アンテナ装置１から放射される磁界強度のシミュレーションに用いられる系を示している。図５のモデルが図４のモデルと違う点は、アンテナ装置１の第１の放射面９に対して、開口部を備えた前面金属板１４が配置されていることである。この前面金属板１４は、筐体７の開口部８が設けられた面に相当する。図５のシミュレーションでは、実際の製品に搭載されたアンテナ装置１の通信性能を確認することができる。
【００３２】
図６は、磁界強度のシミュレーションに用いられるアンテナ装置１のモデルを示している。図６（Ａ）は、アンテナ装置１のモデルをＺＸ平面に対して垂直な方向から見た図である。図６（Ｂ）は、アンテナ装置１のモデルをＹＺ平面に対して垂直な方向から見た図である。図６（Ｃ）は、アンテナ装置１のモデルの斜視図である。図６のアンテナ装置１のモデルは、図４のシミュレーション系に用いられる。すなわち、アンテナ装置１の周囲には、筐体７に相当する前面金属板１４が存在していない。また、図６のアンテナ装置１のモデルは、第２〜第４の放射面１０〜１２を覆う第１〜第３の反射体４〜６を有していない。すなわち、図６に示すアンテナ装置１のモデルは、コア２とアンテナコイル３を有するのみである。図６のモデルを用いた磁界強度のシミュレーションを、便宜上「アンテナ単体」のシミュレーションと称する。
【００３３】
図７は、「アンテナ単体」のシミュレーションにおける、アンテナ装置１から放射されるＺ方向の磁界の強度分布を示している。図７に示す様に、「アンテナ単体」のシミュレーションでは磁界が、第１の放射面９の方向である＋Ｚ方向の他に、第４の放射面１２の方向である−Ｚ方向にも分布している。したがって、「アンテナ単体」の場合だと、アンテナ装置１の通信方向である＋Ｚ方向に磁界が集中的に分布していないことが分かる。シミュレーションの結果、磁界強度測定用コイル１３における磁界強度は１．５２Ａ／ｍとなった。
【００３４】
図８は、磁界強度のシミュレーションに用いられるアンテナ装置１のモデルを示している。図８（Ａ）は、アンテナ装置１のモデルをＺＸ平面に対して垂直な方向から見た図である。図８（Ｂ）は、アンテナ装置１のモデルをＹＺ平面に対して垂直な方向から見た図である。図８（Ｃ）は、アンテナ装置１のモデルの斜視図である。図８のアンテナ装置１のモデルは、図６のアンテナ装置１のモデルと同じように、コア２とアンテナコイル３から構成されるが、第１の放射面９側に前面金属板１４が設けられている点で、図６の場合と異なる。図８のモデルを用いた磁界強度のシミュレーションを、便宜上「前面金属」のシミュレーションと称する。
【００３５】
図９は、「前面金属」のシミュレーションにおける、アンテナ装置１から放射されるＺ方向の磁界の強度分布を示している。図９に示す様に、「前面金属」のシミュレーションでは、第１の放射面９の方向である＋Ｚ方向の磁界強度よりも第４の放射面１２の方向である−Ｚ方向の磁界強度の方が大きくなっている。これは、本来＋Ｚ方向に放射された磁界が、前面金属板１４によって開口部以外の成分が遮蔽されることが原因であると考えられる。したがって、「前面金属」の場合だと、アンテナ装置１の通信方向である＋Ｚ方向の磁界強度が弱くなり、通信に必要な磁界強度が発生しないおそれがある。シミュレーションの結果、磁界強度測定用コイル１３における磁界強度は１．３５Ａ／ｍとなった。
【００３６】
図１０は、磁界強度のシミュレーションに用いられるアンテナ装置１のモデルを示している。図１０（Ａ）は、アンテナ装置１のモデルをＺＸ平面に対して垂直な方向から見た図である。図１０（Ｂ）は、アンテナ装置１のモデルをＹＺ平面に対して垂直な方向から見た図である。図１０（Ｃ）は、アンテナ装置１のモデルの斜視図である。図１０のアンテナ装置１のモデルは、コア２、アンテナコイル３、第１の反射体４、第２の反射体５および第３の反射体６から構成される。したがって、アンテナ装置１は３つの放射面が反射体によって覆われている。図１０のモデルを用いた磁界強度のシミュレーションを、便宜上「前面金属  ３面覆う」のシミュレーションと称する。
【００３７】
図１１は、「前面金属  ３面覆う」のシミュレーションにおける、アンテナ装置１から放射されるＺ方向の磁界の強度分布を示している。図１１に示す様に、「前面金属  ３面覆う」のシミュレーションでは、通信方向である＋Ｚ方向へ磁界の分布が集中している。これは、第２の放射面１０、第３の放射面１１および第４の放射面から放射される磁界が、それぞれ第１の反射体４、第２の反射体５および第３の反射体６によって通信方向である＋Ｚ方向に反射されるからである。第２〜第４の放射面１０〜１２は、第１〜第３の反射体４〜６によって全面が覆われているので、第２〜第４の放射面１０〜１２から放射される磁界を効率よく＋Ｚ方向へ反射させることができる。よって、アンテナ装置１の通信距離および通信性能を向上させることが可能である。シミュレーションの結果、磁界強度測定用コイル１３における磁界強度は１．６８Ａ／ｍとなった。
【００３８】
図１２は、磁界強度のシミュレーションに用いられるアンテナ装置１のモデルを示している。図１２（Ａ）は、アンテナ装置１のモデルをＺＸ平面に対して垂直な方向から見た図である。図１２（Ｂ）は、アンテナ装置１のモデルをＹＺ平面に対して垂直な方向から見た図である。図１２（Ｃ）は、アンテナ装置１のモデルの斜視図である。図１２のアンテナ装置１のモデルは、コア２、アンテナコイル３、第１の反射体４、第２の反射体５、第３の反射体６、第４の反射体１７および第５の反射体１８から構成される。第４の反射体１７に覆われるアンテナ装置１の放射面を第５の放射面１５と称する。また、第５の反射体１８に覆われるアンテナ装置１の放射面を第６の放射面１６と称する。第５の放射面１５と第６の放射面１６は、それぞれ第４の反射体１７と第５の反射体１８によって全面が覆われている。したがって、アンテナ装置１は５つの放射面が反射体によって覆われている。図１２のモデルを用いたシミュレーションを、便宜上「前面金属  ５面覆う」のシミュレーションと称する。
【００３９】
図１３は、「前面金属  ５面覆う」のシミュレーションにおける、アンテナ装置１から放射されるＺ方向の磁界の強度分布を示している。図１３に示す様に、「前面金属  ３面覆う」のシミュレーションでは、前述の「前面金属  ３面覆う」のシミュレーションと同様に、通信方向である＋Ｚ方向へ磁界の分布が集中している。これは、アンテナ装置１の各面を覆う反射体によって、各面から放射される磁界を通信方向である＋Ｚ方向へ反射させているからである。さらに、「前面金属  ５面覆う」のシミュレーションでは、第５の放射面１５および第６の放射面１６から放射される磁界が、それぞれ第４の反射体１７と第５の反射体１８によって＋Ｚ方向へ反射されているので、「前面金属  ３面覆う」の場合に比べて、＋Ｚ方向へ若干強く磁界が分布している。よって、アンテナ装置１の通信距離および通信性能を更に向上させることが可能である。シミュレーションの結果、磁界強度測定用コイル１３における磁界強度は１．７０Ａ／ｍとなった。
【００４０】
図１４は、磁界強度のシミュレーションに用いられるアンテナ装置１のモデルを示している。図１４（Ａ）は、アンテナ装置１のモデルをＺＸ平面に対して垂直な方向から見た図である。図１４（Ｂ）は、アンテナ装置１のモデルをＹＺ平面に対して垂直な方向から見た図である。図１４（Ｃ）は、アンテナ装置１のモデルの斜視図である。図１４のアンテナ装置１のモデルは、コア２、アンテナコイル３、第１の反射体４、第２の反射体５から構成される。したがって、アンテナ装置１は２つの放射面が反射体によって覆われている。図１４のモデルを用いたシミュレーションを、便宜上「前面金属  ２面覆う」のシミュレーションと称する。
【００４１】
図１５は、「前面金属  ２面覆う」のシミュレーションにおける、アンテナ装置１から放射されるＺ方向の磁界の強度分布を示している。「前面金属  ２面覆う」は、図１５に示す様に、−Ｚ方向にも磁界が分布しているため、＋Ｚ方向への磁界成分が減少する。この結果、「前面金属  ２面覆う」は、「アンテナ単体」の場合よりも通信性能が向上しない。シミュレーションの結果、磁界強度測定用コイル１３における磁界強度は１．４２Ａ／ｍとなった。
【００４２】
図１６は、磁界強度のシミュレーションに用いられるアンテナ装置１のモデルを示している。図１６（Ａ）は、アンテナ装置１のモデルをＺＸ平面に対して垂直な方向から見た図である。図１６（Ｂ）は、アンテナ装置１のモデルをＹＺ平面に対して垂直な方向から見た図である。図１６（Ｃ）は、アンテナ装置１のモデルの斜視図である。図１６のアンテナ装置１のモデルは、コア２、アンテナコイル３および第１の反射体４から構成される。したがって、アンテナ装置１は１つの放射面が反射体によって覆われている。図１４のモデルを用いたシミュレーションを、便宜上「前面金属  １面覆う」のシミュレーションと称する。
【００４３】
図１７は、「前面金属  １面覆う」のシミュレーションにおける、アンテナ装置１から放射されるＺ方向の磁界の強度分布を示している。「前面金属  １面覆う」は、図１７に示す様に、＋Ｚ方向および−Ｚ方向に対象的に磁界が分布しており、シミュレーションの結果、磁界強度測定用コイル１３における磁界強度は１．４０Ａ／ｍとなった。従って、「アンテナ単体」の場合よりも通信性能が向上しない。
【００４４】
図１８は、各シミュレーションについて磁界強度測定用コイル１３における磁界強度をまとめた表を示す。シミュレーションの結果、「前面金属  ３面覆う」、「前面金属  ５面覆う」、の場合は、「アンテナ単体」場合よりも磁界強度測定用コイル１３における磁界強度が大きくなっており、金属筐体に組み込んだ場合においても、通信性能を向上させることが確認できる。一方、「前面金属  ２面覆う」および「前面金属  １面覆う」の場合は、「アンテナ単体」場合よりも磁界強度が小さく、金属筐体に組み込んだ場合は、組み込まない場合よりも性能が低下する。よって、「前面金属  ３面覆う」と「前面金属  ５面覆う」のアンテナ装置１は、金属性の筐体７に内蔵される用途に特に適している。
【産業上の利用可能性】
【００４５】
本発明のアンテナ装置は、携帯電話、スマートフォン、タブレット、携帯型のパソコン等の様々な電子機器において近接通信用のアンテナとして用いることが可能である。
【符号の説明】
【００４６】
１  アンテナ装置
２  コア
３  アンテナコイル
４  第１の反射体
５  第２の反射体
６  第３の反射体
７  筐体
８  開口部
９  第１の放射面
１０  第２の放射面
１１  第３の放射面
１２  第４の放射面
１３  磁界強度測定用コイル
１４  前面金属板
１５  第５の放射面
１６  第６の放射面
１７  第４の反射体
１８  第５の反射体
【図１】
2015115916.tif 000003
【図２】
2015115916.tif 000004
【図３】
2015115916.tif 000005
【図４】
2015115916.tif 000006
【図５】
2015115916.tif 000007
【図６】
2015115916.tif 000008
【図７】
2015115916.tif 000009
【図８】
2015115916.tif 000010
【図９】
2015115916.tif 000011
【図１０】
2015115916.tif 000012
【図１１】
2015115916.tif 000013
【図１２】
2015115916.tif 000014
【図１３】
2015115916.tif 000015
【図１４】
2015115916.tif 000016
【図１５】
2015115916.tif 000017
【図１６】
2015115916.tif 000018
【図１７】
2015115916.tif 000019
【図１８】
2015115916.tif 000020